【事件の表示】
　特願２００６−２５６１５８「データ再生方法及び装置」拒絶査定不服審判事件〔平成１９年　２月　１日出願公開、特開２００７−　２６４６２〕について、次のとおり審決する。
【結　論】
　本件審判の請求は、成り立たない。
【理　由】
　
第１　手続の経緯  
　  
　本願は、平成８年５月２１日に出願した特願平８−１４９９３３号の一部を平成１８年９月２１日に新たな特許出願としたものであって、平成１９年９月２１日付けで拒絶査定がなされ、これに対し、平成１９年１１月１日に拒絶査定不服審判の請求がなされるとともに、平成１９年１２月３日付けで手続補正がなされたものである。
　 
　 
　 
　 
第２　平成１９年１２月３日付けの手続補正についての補正却下の決定  
　 
〔結論〕 
　 
　平成１９年１２月３日付けの手続補正を却下する。 
　 
〔理由〕 
　 
１．補正内容
　  
　平成１９年１２月３日付けの手続補正（以下、「本件補正」という）は、特許請求の範囲の補正を含むものであって、  
　方法の発明を規定した、本件補正前の特許請求の範囲の請求項１乃至８、すなわち、  
　 
「　【請求項１】
　データと前記データに関連するイメージデータとを記憶手段に記憶させ、
　前記複数のデータにそれぞれ対応する複数の板を前記表示手段に表示させ、
　前記複数の板のうち一の板に対する操作入力に基づいて、前記一の板を前記一の板に対応するデータのイメージデータが表示された一の表示形態で前記表示手段に表示させ、他の板を前記一の表示形態よりも表示領域の小さい他の表示形態で前記表示手段に表示させ、
　前記一の表示形態で表示された前記一の板に対する操作入力に基づいて、前記一の板に対応するデータを再生手段に再生させる
　データ再生方法。
　　【請求項２】
　前記他の板の内の所定の板に対する操作入力に基づいて、前記一の板を前記一の表示形態から前記他の表示形態とし、前記所定の板を前記他の表示形態から前記一の表示形態として前記表示手段に表示させる
ことを特徴とする請求項１記載のデータ再生方法。
　　【請求項３】
　前記複数のデータにそれぞれ付随する付随情報を前記記憶手段に記憶させ、
　前記他の板には、前記他の板に対応するデータに付随する付随情報の少なくとも一部を表示させる
ことを特徴とする請求項１記載のデータ再生方法。
　　【請求項４】
　前記付随情報は、アルバムタイトル、アーチスト、曲名の少なくとも一つを含む
ことを特徴とする請求項３記載のデータ再生方法。
　　【請求項５】
　少なくとも前記アルバムタイトル、アーチスト、曲名の何れかに基づいて、前記複数の板を並べて、前記表示手段に表示させる
ことを特徴とする請求項４記載のデータ再生方法。
　　【請求項６】
　所定の操作入力に基づいて、前記一の板に隣接する板から順に、前記一の表示形態で表示する板を連続的に切り替えて前記表示手段に表示させる
ことを特徴とする請求項１記載のデータ再生方法。
　　【請求項７】
　コンパクトディスクに記憶されている音楽データを読み出し手段に読み出させ、
　前記読み出した音楽データを圧縮手段に圧縮させ、
　前記圧縮した音楽データを上記記憶手段に記憶させる
ことを特徴とする請求項１記載のデータ再生方法。
　　【請求項８】
　通信手段に前記データを受信させ、
　受信した前記データを前記記憶手段に記憶させる
ことを特徴とする請求項１記載のデータ再生方法。」  
　 
　を、本件補正後の特許請求の範囲の請求項１乃至７、すなわち、  
　 
「　【請求項１】
　
オーディオ信号を生成するための
　複数の前記データにそれぞれ対応する複数の板
のうち、一の板を対応するデータのイメージデータが表示された一の表示形態で、他の板をそれぞれ前記一の表示形態よりも表示領域の小さい前記一の表示形態以外の表示形態で、
　
前記他の板のうち所定の板に対する操作入力に基づいて、前記一の板を前記一の表示形態から前記一の表示形態以外の表示形態とし、前記所定の板を前記一の表示形態以外の表示形態から前記一の表示形態として、
　前記一の表示形態で表示された前記
所定の
　データ再生方法。
　　【請求項２】
　前記複数のデータにそれぞれ付随する付随情報を前記記憶手段に記憶させ、
　前記表示手段が前
記一の表示形態以外の表示形態で
それぞれ
ことを特徴とする請求項１記載のデータ再生方法。
　　【請求項３】
　前記付随情報は、アルバムタイトル、アーチスト、曲名の少なくとも一つを含む
ことを特徴とする請求項
２
　　【請求項４】
　少なくとも前記アルバムタイトル、アーチスト、曲名の何れかに基づいて、前記複数の板を並べて、前記表示手段に表示させる
ことを特徴とする請求項
３
　　【請求項５】
　所定の操作入力に基づいて、前記一の板に隣接する板から順に、前記一の表示形態で表示する板を連続的に切り替えて前記表示手段に表示させる
ことを特徴とする請求項１記載のデータ再生方法。
　　【請求項６】
　コンパクトディスクに記憶されている音楽データを読み出し手段に読み出させ、
　前記読み出した音楽データを圧縮手段に圧縮させ、
　前記圧縮した音楽データを
前記データとして
ことを特徴とする請求項１記載のデータ再生方法。
　　【請求項７】
　通信手段に前記データを受信させ、
　受信した前記データを前記記憶手段に記憶させる
ことを特徴とする請求項１記載のデータ再生方法。」  
　 
　に変更する補正を含む。つまり、本件補正は、
　  
（本件補正事項１）  
　本件補正前の請求項１を削除する補正、 
　  
（本件補正事項２）
　本件補正前の請求項２を請求項１に組み込み、本件補正後の請求項１とする際に、本件補正前の請求項１の
「前記複数のデータにそれぞれ対応する複数の板を前記表示手段に表示させ、
　前記複数の板のうち一の板に対する操作入力に基づいて、前記一の板を前記一の板に対応するデータのイメージデータが表示された一の表示形態で前記表示手段に表示させ、他の板を前記一の表示形態よりも表示領域の小さい他の表示形態で前記表示手段に表示させ」るという記載を、
「複数の前記データにそれぞれ対応する複数の板のうち、一の板を対応するデータのイメージデータが表示された一の表示形態で、他の板をそれぞれ前記一の表示形態よりも表示領域の小さい前記一の表示形態以外の表示形態で、前記表示手段に表示させ」るという記載に変更する補正、
　すなわち、「前記複数のデータにそれぞれ対応する複数の板を前記表示手段に表示させ、前記複数の板のうち一の板に対する操作入力に基づいて」という限定を解除する補正、
（本願の図面でたとえると、本件補正前の請求項１乃至２は、【図４】の状態から【図５】の状態への移行する処理を規定しているが、本件補正後の請求項１は、【図４】の状態から【図５】の状態への移行する処理を規定していない。）
　
（本件補正事項３）
　本件補正前の請求項２を請求項１に組み込み、本件補正後の請求項１とすることに伴い、
　本件補正前の請求項３，６，７，８が引用する請求項を、本件補正前の請求項１から本件補正後の請求項１（本件補正前の請求項２）に変更する補正、
　すなわち、本件補正前の請求項３，６，７，８に対して、当該請求項を引用していない請求項２に規定された発明特定事項を追加する補正、
　
　を含むものである。
　
　
　
２．本件補正の検討
　
　本件補正が、平成１８年法律第５５号改正附則第３条第１項によりなお従前の例によるとされる同法による改正前の特許法第１７条の２第４項（以下、単に「特許法第１７条の２第４項」という。）各号に規定された要件を満たしているのか否かについて検討する。
　
　
（１）本件補正事項１について
　
　本件補正事項１は、請求項を削除するものであるから、特許法第１７条の２第４項第１号に規定された「請求項の削除」に該当する。
　
　
（２）本件補正事項２について
　
　本件補正事項２は、請求項を削除するものではないので、特許法第１７条の２第４項第１号に規定された「請求項の削除」に該当しない。
　
　また、本件補正事項２は、「前記複数のデータにそれぞれ対応する複数の板を前記表示手段に表示させ、前記複数の板のうち一の板に対する操作入力に基づいて」という
限定を解除
 　特許法第１７条の２第４項第２号に規定された「特許請求の範囲の減縮（第三十六条第五項の規定により請求項に記載した発明を特定するために必要な事項を限定するものであつて、その補正前の当該請求項に記載された発明とその補正後の当該請求項に記載される発明の産業上の利用分野及び解決しようとする課題が同一であるものに限る。）」に該当しない。 
　
　更に、本件補正前の「前記複数のデータにそれぞれ対応する複数の板を前記表示手段に表示させ、前記複数の板のうち一の板に対する操作入力に基づいて」という記載には誤記はないのであるから、 
 　本件補正事項２は、特許法第１７条の２第４項第３号に規定された「誤記の訂正」に該当しない。 
　
　しかも、本件補正前の「前記複数のデータにそれぞれ対応する複数の板を前記表示手段に表示させ、前記複数の板のうち一の板に対する操作入力に基づいて」という記載に不明りょうな記載はなく、
　本件補正前の当該記載に対して、明りようでない記載に関する拒絶理由通知は通知されていないのであるから、 
　本件補正事項２は、特許法第１７条の２第４項第４号に規定された「明りようでない記載の釈明（拒絶理由通知に係る拒絶の理由に示す事項についてするものに限る。）」に該当しない。
　
〔参考〕平成１９年（行ケ）第１０１５９号（http://www.courts.go.jp/hanrei/pdf/20080326111316.pdf）
「（３）さらに，原告は，新規事項の追加状態を解消する補正は，記載不備状態を解消するためのものであり，第三者に不測の不利益を与えることもないから，特許請求の範囲の不明りょうな記載を明りょうな記載に補正するものとして取り扱うべきであると主張する。
　しかし，特許法１７条の２第４項４号は，「明りょうでない記載の釈明（拒絶理由通知に係る拒絶の理由に示す事項についてするものに限る。）」と規定しているから，「明りょうでない記載の釈明」を目的とする補正は，法律上，審査官が拒絶理由中で特許請求の範囲が明りょうでない旨を指摘した事項について，その記載を明りょうにする補正を行う場合に限られており，原告の主張する「新規事項の追加状態を解消する」目的の補正が特許法１７条の２第４項４号に該当する余地はない。」（第１３頁第６乃至１６行）
　
　
（３）本件補正事項３について
　
　本件補正事項３は、請求項を削除するものではないので、特許法第１７条の２第４項第１号に規定された「請求項の削除」に該当しない。
　
　また、本件補正事項３は、
　本件補正前の請求項３，６，７，８が引用している請求項１の「前記複数のデータにそれぞれ対応する複数の板を前記表示手段に表示させ、前記複数の板のうち一の板に対する操作入力に基づいて」という
限定を解除
　かつ、本件補正前の請求項３，６，７，８に対して、当該請求項を引用していない請求項２に規定された
発明特定事項を追加
　特許法第１７条の２第４項第２号に規定された「特許請求の範囲の減縮（第三十六条第五項の規定により請求項に記載した発明を特定するために必要な事項を限定するものであつて、その補正前の当該請求項に記載された発明とその補正後の当該請求項に記載される発明の産業上の利用分野及び解決しようとする課題が同一であるものに限る。）」に該当しない。 
　
　更に、本件補正前の請求項３，６，７，８が引用する請求項の番号について誤記があった、という事情はないのであるから、
　本件補正事項３は、特許法第１７条の２第４項第３号に規定された「誤記の訂正」に該当しない。
　
　しかも、本件補正前の請求項３，６，７，８が引用する請求項の番号について不明りょうな記載があった、という事情はなく、
　請求項の引用関係について、明りようでない記載に関する拒絶理由通知は通知されていないのであるから、
　本件補正事項３は、特許法第１７条の２第４項第４号に規定された「明りようでない記載の釈明（拒絶理由通知に係る拒絶の理由に示す事項についてするものに限る。）」に該当しない。　
　
　
　
３．まとめ
　
　したがって、本件補正事項２及び本件補正事項３を含む本件補正は、特許法第１７条の２第３項の規定、及び特許法第１７条の２第４項の規定に違反するので、同法第１５９条第１項において読み替えて準用する同法第５３条第１項の規定により却下すべきものである。 
　
　
　
　
第３　本願発明について  
　  
１．本願発明の認定  
　  
　平成１９年１２月３日付けの手続補正は上記のとおり却下されたので、本願の請求項１に係る発明（以下、「本願発明」という。）は、平成１９年８月２０日付けの手続補正書の特許請求の範囲の請求項１に記載されている、次のとおりのものである。  
　
「　【請求項１】
　データと前記データに関連するイメージデータとを記憶手段に記憶させ、
　前記複数のデータにそれぞれ対応する複数の板を前記表示手段に表示させ、
　前記複数の板のうち一の板に対する操作入力に基づいて、前記一の板を前記一の板に対応するデータのイメージデータが表示された一の表示形態で前記表示手段に表示させ、他の板を前記一の表示形態よりも表示領域の小さい他の表示形態で前記表示手段に表示させ、
　前記一の表示形態で表示された前記一の板に対する操作入力に基づいて、前記一の板に対応するデータを再生手段に再生させる
　データ再生方法。」 
　 
　 
　 
２．引用例の認定  
　 
　原査定の拒絶の理由に引用文献１として引用された、特開平３−１３４８８３号公報（以下、「引用例」という）には、図面と共に以下の技術事項が記載されている。  
　 
（ア）  
「Ａ　産業上の利用分野 
　この発明は画像検索装置に関する。」 
　　　　　　　　　　　　　　　　　　　（第１頁右欄第１４乃至１５行）
　 
（イ）  
「Ｂ　発明の概要 
　この発明は、画像検索装置において、文字・記号などを静止画や動画のキーワードとすることにより、例えば音楽の曲名からその曲に関係する静止画や動画を表示できるようにしたものである。」 
　　　　　　　　　　　　（第１頁右欄第１６行から第２頁左上欄第３行）
　 
（ウ）  
「Ｃ　従来の技術 
　静止画や音声の場合には、その信号をデジタル化しても、データの量はそれほど多くないので、それらのデータをＣＤ−ＲＯＭやハードディスクにストアしておき、必要なとき検索して取り出すことができる。」 
　　　　　　　　　　　　　　　　　　　　（第２頁左上欄第４乃至９行）
　 
（エ）  
「Ｄ　発明が解決しようとする課題 
　ところが、動画の場合には、その情報量が非常に多いので、動画のデータをコンピュータの内部にストアして利用することは困難である。 
　このため、動画のデータは、レーザーディスクやビデオテープなど外部の記憶媒体に記憶して使用せざるをえない。 
　この発明は、そのような静止画や動画を自由に検索して取り出すことができるようにしようとするものである。」 
　　　　　　　　　　　　（第２頁左上欄第１０行から同頁右上欄第１行）
　 
（オ） 
「Ｇ　実施例 
　以下に述べる例においては、対象とするデータが、ＣＤのアルバム名、その歌手名、及びそのＣＤに収録されている曲名であり、これらのデータがＣＤ−ＲＯＭに書き込まれている場合である。また、動画を記憶しているメディア及びその再生装置が、レーザーディスク及びレーザーディスクプレーヤの場合である。」 
　　　　　　　　　　　　　　　　　　　（第２頁左下欄第４乃至１１行）
　 
（カ）  
「第１図において、（１０）はＣＰＵ、（１１）は各種のプログラムが書き込まれているＲＯＭ、（１２）はワークエリア用のＲＡＭ、（１３）はハードディスク装置、（１４）はハードディスクコントローラを示し、ハードディスク装置（１３）には、例えば第２図に示すフローチャートの画像検索ルーチン（４０）がインストールされている。 
　また、（１５）はＣＤ−ＲＯＭプレーヤ、（１６）は例えばＳＣＳＩ規格のＣＤ−ＲＯＭ用インターフェイス、（１７）はＣＤ−ＲＯＭ（またはＣＤＩ）、（１８）はマウス、（１９）はマウス用インターフェイスである。」
　　　　　　　　　　　　（第２頁左下欄第１２行から同頁右下欄第３行）
　 
（キ） 
「この場合、ＣＤ−ＲＯＭ（１７）は、プレーヤ（１８）及びインターフェイス（１６）を通じて読み出し（再生）が行われるが、このＣＤ−ＲＯＭ（１７）には、リスト情報として、例えば第３図に示すようなデータテーブルＮＡＲＴ、ＡＬＢＭ、ＴＩＴＬ、ＮＡＳＴ、ＡＬＳＴ（詳細は後述する）などが書き込まれているとともに、いくつかの曲のデジタルオーディオデータＤａと、ＣＤのジャケットを静止画として撮像したときのデジタル画像データＤｓとが記録されている。 
　ただし、このデータＤａ及びＤｓとして記録されている曲及びジャケットの数は、ＣＤ−ＲＯＭ（１７）の容量（最大で５４０Ｍバイト）で決まり、ＣＤ−ＲＯＭ（１７）が対象としている音楽データのすべてについて、対応するデータＤａ、ＤＳが記録されているわけではない。」 
　　　　　　　　　　　　　　　　　　　（第２頁右下欄第４乃至１８行）
　  
（ク） 
「さらに、（２１）はフルキーボード、（２２）はキーボード用インターフェイス、（２４）はＤ／Ａコンパー夕、（２５）はステレオアンプ、（２６）はスピーカであり、所定のモードのとき、ＣＤ−ＲＯＭ（１９）からのオーディオデータＤａがスイッチ回路（２３）を通じてコンバータ（２４）に供給される。」 
　　　　　　　　　　　（第２頁右下欄第１９行から第３頁左上欄第４行）
　 
（ケ）  
「また、テーブルＮＡＲＴ〜ＡＬＳＴは、例えば、次のようなものである。すなわち、テーブルＮＡＲＴは、歌手（演奏家）の名前Ｎｉと、その歌手ごとに割り当てられた固有の歌手コードｎｉとの歌手名テーブルであり、例えば、歌手「渡辺満里奈」に歌手コードｎｉとして「１２３」が割り当てられている。 
　さらに、テーブルＡＬＢＭは、アルバムの名前（ＣＤの名前）Ａｊと、そのアルバムのＣＤ番号Ｃｊと、そのアルバムの発売日Ｂｊと、そのアルバムごとに割り当てられた固有のアルバムコードａｊとを有するテーブルであり、例えば、アルバム「ＭＡＲＩＮＡ」のＣＤ番号及び発売日が「３２・８Ｈ１０５」及び「１９８７年２月２６日」であり、このアルバムにアルバムコードａｊとして「２３４」が割り当てられている。 
　さらに、テーブルＴＩＴＬは、曲の名前Ｔｋと、その曲ごとに割り当てられた固有の曲コードｔｋとの曲名テーブルであり、例えば、曲「ホリディ・ビジター」に曲コードｔｋとして「３４５６」が割り当てられている。 
　また、テーブルＮＡＳＴは、歌手ごとに用意されている歌手別検索用テーブルであり、その歌手Ｎｉの出しているアルバムＡｊのアルバムコードａｊと、ジャケットアドレスＪｊとのテーブルである。図の例においては、ｎ　ｉ＝１２３である「渡辺満里奈」のテーブルＮＡＳＴ（ｎｉ＝１２３）の場合である。 
　そして、このテーブルＮＡＳＴにおいて、Ｊｊ≠０ときには、そのコードａｊの割り当てられているアルバムＡｊのジャケットの静止画のデジタル画像データＤｓが、ＣＤ−ＲＯＭ（１７）に記録されているとともに、そのアドレスがＪｊであることを示し、Ｊｊ＝０のときには、そのような記録のないことを示す。 
　さらに、テーブルＡＬＳＴは、アルバムごとに用意されているアルバム別検索用テーブルであり、そのアルバムＡｊに収録されている曲Ｔｋの曲名コードｔｋと、デジタルオーディオデータＤａのアドレスＳｋと、ビデオ信号ＳｙのアドレスＶｋとを有するテーブルである。図の例においては、ａｊ＝２３４であるアルバム「ＭＡＲＩＮＡ」のテーブルＡＬＳＴ（ａｊ＝２３４）の場合である。 
　そして、このテーブルＡＬＳＴにおいて、Ｓｋ≠０のときには、そのコードｔｋの割り当てられている曲ＴｋのデジタルオーディオデータＤａが、ＣＤ−ＲＯＭ（１７）に記録されているとともに、そのアドレスがＳｋであることを示し、Ｓｋ＝０のときには、そのような記録のないことを示す。また、アドレスＶｋも同様で、Ｖｋ≠０のときには、そのコードｔｋの割り当てられている曲Ｔｋのビデオ信号Ｓｙ及びデジタルオーディオ信号Ｓａがレーザーディスク（３８）に記録されているとともに、そのアドレスがＶｋであることを示し、Ｖｋ＝０のときには、そのような記録のないことを示す。 
　なお、以上のテーブルＮＡＲＴ〜ＡＬＳＴ以外にも検索に必要な各種のテーブルがＣＤ−ＲＯＭ（１７）に記録されているが、ここでは説明を省略する。また、これらテーブルＮＡＳＴ〜ＡＬＳＴのデータ量は、レコード会社の１社分を集めてもＣＤ−ＲＯＭ（１７）の全容量の１％程度である。 
　したがって、ＣＤ−ＲＯＭ（１７）の容量のほぼ全部を、曲ＴｋのデジタルオーディオデータＤａあるいはＣＤのジャケットの静止画のデジタル画像データＤｓに割り当てることができる。そして、データＤａと、データＤｓとに対してどのような比率で割り当てるかは、任意である。」 
　　　　　　　　　　（第３頁右上欄第１２行から第４頁左上欄第１６行）
　 
（コ）  
「そして、データの検索は、ＣＰＵ（１０）がルーチン（４０）を実行することにより、次のように行われる。なお、以下の説明においては、検索項目が「歌手名」であり、そのキーワードが「渡辺満里奈」の場合である。 
　　　　　　　　　　　・・・（中略）・・・ 
　この初期画面には、「歌手名」、「アルバム名」など検索の対象となる項目名などが表示され、このステップ（４３）において、どの項目で検索を行うかなどの指示待ちとなる。 
　そこで、マウス（１８）により検索項目として「歌手名」のアイコンをクリックすると、処理はステップ（４３）からステップ（４４）に進み、このステップ（４４〉においてキーワードの入力待ちとなり、ここで、キーボード（２１）からキーワードとして「渡辺満里奈」を入力すると、処理はステップ（４４）がらステップ（４５）に進む。 
　そして、このステップ（４５）においては、次のようなテーブル処理が行われる。 
　　　　　　　　　　　・・・（中略）・・・ 
　以上の処理が行われると、処理はステップ（４５）からステップ（４６）に進み、このステップ（４６）において、ステップ（４５）で取り出されたデータにしたがった表示データが形成されてＲＡＭ（３１）に供給される。」  
　　　　　　　　　　　　（第４頁右上欄第５行から第５頁左上欄第４行）
　 
（サ）  
「したがって、表示装置（３４）には、ステップ（４５）において取り出されたデータにしたがって例えば第４図Ａに示すように、「渡辺満里奈」のアルバム「ＭＡＲＩＮＡ」のＣＤ番号及び発売日と、このアルバムに収録されている曲の曲名が、リスト形式で表示される。 
　また、このとき、ステップ（４５）において取り出されたアドレスＪｊ、Ｓｋ、ＶｋにしたがってインデックスマークＭｉが、同時に表示される。すなわち、Ｊｊ≠０のときには、そのＣＤのジャケットの静止画の画像データＤｓが、ＣＤ−ＲＯＭ（１７）のアドレスＪｊに記録されているので、この記録があることを示すために、同図Ａに示すように、表示画面の一部にインデックスマークＭｉとして「ジャケット」の文字が表示され、Ｊｊ＝０のときには表示されない。 
　さらに、Ｓｋ≠０のときには、対応する曲のデジタルオーディオデータＤａが、ＣＤ−ＲＯＭ（１７）のアドレスＳｋに記録されているので、この記録があることを示すために、同図Ａに示すように、対応する曲の曲名の例えば前に、インデックスマークＭｉとして「音符」マークが表示され、Ｓｋ＝０のときには表示されない。」 
　　　　　　　　　　　　　（第５頁左上欄第５行から同頁右上欄第７行） 
　 
（シ）  
「なお、同図Ａの場合には、このアルバム「ＭＡＲＩＮＡ」のジャケットの静止画の画像データＤｓがあり、第１番目の曲「ホリディ・ビジター」についてＣＤ−ＲＯＭ（１７）にデジタルオーディオデータＤａがあるとともに、第３番目の曲「裸のクレヨン」についてレーザーディスク（３８）に動画及びその音声があることを示している。 
　さらに、表示画面の下には、「前」、「次」、「再度」、「終了」の文字Ｍｃが表示される。 
そして、以上のような表示が行われると、処理はステップ（４６）からステップ（４７）に進み、このステップ（４７）において、マウス（１８）による入力待ちとなる。」 
　　　　　　　　　　　　（第５頁右上欄第１５行から同頁左下欄第７行）
　 
（ス） 
「したがって、第４図Ａに示す表示状態のとき、マークＭｉのうちの「音符」マークをマウス（１８）で指定すると、その「音符」マークの付けられている曲名の曲がＣＤ−ＲＯＭ（１７）から再生される。また、このとき、表示装置（３４）には、同図への画像がそのまま表示されている。」 
　　　　　　　　　　　　　　　　　　（第５頁右下欄第１４乃至１９行）
　
（セ）  
「したがって、第４図Ａに示す表示状態のとき、マークＭｉのうちの「ジャケット」のマークをマウス（１８）で指定すると、同図Ｃに示すように、そのＣＤのジャケットの静止画が表示される。また、このとき、ＣＤ−ＲＯＭ（１７）あるいはレーザーディスク（３８）の再生が行われていれば、その音声については再生が続行される。」  
　　　　　　　　　　　（第６頁右下欄第２０行から第７頁左上欄第６行）
　 
（ソ）  
「さらに、ステップ（４７）においてマウス（１８）による入力待ちとなっているとき、マウス（１８）によりマークＭｃのうちの「次」のマークをクリックすると、処理はステップ（４７）からステップ（５０）に進み、このステップ（５０）においてクリックされた文字あるいは記号がどれであるかが判別され、今の場合は、「次」のマークなので、処理はステップ（５０）からステップ（８１）に進む。 
　そして、このステップ（８１）において、今の場合、テーブルＮＡＳＴのうちのテーブルＮＡＳＴ（Ｎｉ＝１２３）が選択されているとともに、このテーブルのうちのａｊ＝２３４のアルバムについて第４図Ａに示すように、表示が行われていたので、アルバムコードａｊはａｊ＝２３４から次のａｊ＝４２３にインクリメントされ、続いて処理はステップ（８１）からステップ（４５）に戻る。 
　したがって、以後、ａｊ＝４２３のアルバムコードのアルバムについて、第４図Ａと同様にその各データがリスト形式で表示され、その後、ステップ（４７）においてマウス（１８）による入力待ちとなる。 
　また、ステップ（４７）において、マウス（１８）による人力待ちとなっているとき、マウス（１８）によりマークＭｃのうちの「前」のマークをクリックすると、ステップ（８２）において、「次」のマークのときとは逆に、アルバムコードａｊは、現在のアルバムコードから前のアルバムコードにディクリメントされ、その後、処理はステップ（８２）からステップ（４５）に戻る。 
　したがって、以後、１つ前のアルバムコードａｊのアルバムについて、第４図へと同様にその各データがリスト形式で表示され、その後、ステップ（４７）においてマウス（１８）による人力待ちとなる。」 
　　　　　　　　　　　　　（第７頁左上欄第９行から同頁左下欄第１行）
　  
（タ） 
「さらに、ステップ（４７）においてマウス（１８）による入力待ちとなっているとき、マウス（１８）によりマークＭｃのうちの「再度」のマークをクリックすると、処理はステップ（４７）からステップ（５０）に進み、このステップ（５０）においてクリックされた文字あるいは記号がどれであるかが判別され、今の場合は、「再度」のマークなので、処理はステップ（５０）からステップ（８３）に進む。 
　そして、このステップ（８３）において、ＲＡＭ（３１）の内容がクリアされて表示装置（３４）の表示画面がクリアされ、次に処理はステップ（４３）に戻る。 
　したがって、以後、例えば別の歌手について同様にリスト、動画あるいはジャケットの表示や曲の再生を行うことができる。」 
　　　　　　　　　　　　　　　　　　　（第７頁左下欄第２乃至１５行）
　 
（チ）  
「こうして、この発明によれば、ＣＤ−ＲＯＭ（１７）に例えば歌手名、アルバム名、曲名などのリストを登録しておくとき、その登録した曲名の曲のデジタルオーディオデータＤａを記録しておいたり、登録したＣＤのジャケットの静止画のデジタル画像データＤｓを記録しておいたり、あるいは登録した曲名と、レーザーディスクの対応する動画や音声とを関連させておいたりすることができ、リストを表示したとき、対応する曲をＣＤ−ＲＯＭ（１７）から再生したり、ＣＤのジャケットの静止画を表示したり、あるいは対応する曲の動画及び音声をレーザーディスクから再生できるので、ＣＤ−ＲＯＭ（１７）を単なるテキストのデータベースとしてだけではなく、ＣＤやレーザーディスクを有機的に、かつ、効果的に結合してより高度なデータベースとして使用することができる。」 
　　　　　　　　　　　　　　　　　　　（第７頁右下欄第１乃至１６行）
　 
（ツ）  
「また、デジタルオーディオデータＤａ、デジタル画像データＤｓや、ビデオ信号Ｓｙ及びデジタルオーディオ信号Ｓａは、それぞれ複数のＣＤやレーザーディスクに分割されていてもよく、その場合には、アドレスＳｋ、ＶｋにＣＤやレーザーディスクを識別するコードを含ませればよい。あるいは、データＤａ、Ｄｓは、ハードディスク（１３）に例えばコピーしておき、これを使用することもできる。」 
　　　　　　　　　　　　　　　　　　　（第８頁左上欄第６乃至１４行）
　 
　 
　以上の引用例の記載によれば、引用例には以下の事項が開示されていると認められる。 
　 
（ａ） 
　引用例の上記（キ）の 
「この場合、ＣＤ−ＲＯＭ（１７）は、プレーヤ（１８）及びインターフェイス（１６）を通じて読み出し（再生）が行われるが、このＣＤ−ＲＯＭ（１７）には、リスト情報として、例えば第３図に示すようなデータテーブルＮＡＲＴ、ＡＬＢＭ、ＴＩＴＬ、ＮＡＳＴ、ＡＬＳＴ（詳細は後述する）などが書き込まれているとともに、いくつかの曲のデジタルオーディオデータＤａと、ＣＤのジャケットを静止画として撮像したときのデジタル画像データＤｓとが記録されている。 
　ただし、このデータＤａ及びＤｓとして記録されている曲及びジャケットの数は、ＣＤ−ＲＯＭ（１７）の容量（最大で５４０Ｍバイト）で決まり、ＣＤ−ＲＯＭ（１７）が対象としている音楽データのすべてについて、対応するデータＤａ、ＤＳが記録されているわけではない。」 
 
　引用例の上記（ケ）の 
「また、テーブルＮＡＲＴ〜ＡＬＳＴは、例えば、次のようなものである。すなわち、テーブルＮＡＲＴは、歌手（演奏家）の名前Ｎｉと、その歌手ごとに割り当てられた固有の歌手コードｎｉとの歌手名テーブルであり、例えば、歌手「渡辺満里奈」に歌手コードｎｉとして「１２３」が割り当てられている。 
　　　　　　　　　　　・・・（中略）・・・　 
　また、テーブルＮＡＳＴは、歌手ごとに用意されている歌手別検索用テーブルであり、その歌手Ｎｉの出しているアルバムＡｊのアルバムコードａｊと、ジャケットアドレスＪｊとのテーブルである。図の例においては、ｎ　ｉ＝１２３である「渡辺満里奈」のテーブルＮＡＳＴ（ｎｉ＝１２３）の場合である。 
　　　　　　　　　　　・・・（中略）・・・　 
　さらに、テーブルＡＬＳＴは、アルバムごとに用意されているアルバム別検索用テーブルであり、そのアルバムＡｊに収録されている曲Ｔｋの曲名コードｔｋと、デジタルオーディオデータＤａのアドレスＳｋと、ビデオ信号ＳｙのアドレスＶｋとを有するテーブルである。図の例においては、ａｊ＝２３４であるアルバム「ＭＡＲＩＮＡ」のテーブルＡＬＳＴ（ａｊ＝２３４）の場合である。 
　　　　　　　　　　　・・・（後略）・・・　」 
　という記載から、 
　 
　引用例には、 
「ＣＤアルバムに収録される曲目の一部の曲のデジタルオーディオデータと、前記デジタルオーディオデータに関連するＣＤアルバムのジャケットを静止画として撮像したときのデジタル画像データとを記憶手段に記憶させ」ること、
　が開示されていると認められる。  
　 
　 
（ｂ） 
　上記（ａ）の 
「ＣＤアルバムに収録される曲目の一部の曲のデジタルオーディオデータと、前記デジタルオーディオデータに関連するＣＤアルバムのジャケットを静止画として撮像したときのデジタル画像データとを記憶手段に記憶させ」ること、
　という開示、 
　 
　引用例の上記（サ）の 
「したがって、表示装置（３４）には、ステップ（４５）において取り出されたデータにしたがって例えば第４図Ａに示すように、「渡辺満里奈」のアルバム「ＭＡＲＩＮＡ」のＣＤ番号及び発売日と、このアルバムに収録されている曲の曲名が、リスト形式で表示される。 
　また、このとき、ステップ（４５）において取り出されたアドレスＪｊ、Ｓｋ、ＶｋにしたがってインデックスマークＭｉが、同時に表示される。すなわち、Ｊｊ≠０のときには、そのＣＤのジャケットの静止画の画像データＤｓが、ＣＤ−ＲＯＭ（１７）のアドレスＪｊに記録されているので、この記録があることを示すために、同図Ａに示すように、表示画面の一部にインデックスマークＭｉとして「ジャケット」の文字が表示され、Ｊｊ＝０のときには表示されない。 
　さらに、Ｓｋ≠０のときには、対応する曲のデジタルオーディオデータＤａが、ＣＤ−ＲＯＭ（１７）のアドレスＳｋに記録されているので、この記録があることを示すために、同図Ａに示すように、対応する曲の曲名の例えば前に、インデックスマークＭｉとして「音符」マークが表示され、Ｓｋ＝０のときには表示されない。」 
　という記載、
　 
　引用例の上記（セ）の 
「したがって、第４図Ａに示す表示状態のとき、マークＭｉのうちの「ジャケット」のマークをマウス（１８）で指定すると、同図Ｃに示すように、そのＣＤのジャケットの静止画が表示される。また、このとき、ＣＤ−ＲＯＭ（１７）あるいはレーザーディスク（３８）の再生が行われていれば、その音声については再生が続行される。」 
　という記載から、 
　 
　引用例には、  
「「ジャケット」のマークに対する操作入力に基づいて、デジタルオーディオデータの、ＣＤアルバムのジャケットを静止画として撮像したときのデジタル画像データが表示された状態で表示装置に表示させ」ること、 
　が開示されていると認められる。  
　 
　 
（ｃ） 
　上記（ａ）の 
「ＣＤアルバムに収録される曲目の一部の曲のデジタルオーディオデータと、前記デジタルオーディオデータに関連するＣＤアルバムのジャケットを静止画として撮像したときのデジタル画像データとを記憶手段に記憶させ」ること、
　という開示、 
　  
　引用例の上記（ク）の 
「さらに、（２１）はフルキーボード、（２２）はキーボード用インターフェイス、（２４）はＤ／Ａコンパー夕、（２５）はステレオアンプ、（２６）はスピーカであり、所定のモードのとき、ＣＤ−ＲＯＭ（１９）からのオーディオデータＤａがスイッチ回路（２３）を通じてコンバータ（２４）に供給される。」 
　という記載、
　
　引用例の上記（サ）の 
「したがって、表示装置（３４）には、ステップ（４５）において取り出されたデータにしたがって例えば第４図Ａに示すように、「渡辺満里奈」のアルバム「ＭＡＲＩＮＡ」のＣＤ番号及び発売日と、このアルバムに収録されている曲の曲名が、リスト形式で表示される。 
　また、このとき、ステップ（４５）において取り出されたアドレスＪｊ、Ｓｋ、ＶｋにしたがってインデックスマークＭｉが、同時に表示される。すなわち、Ｊｊ≠０のときには、そのＣＤのジャケットの静止画の画像データＤｓが、ＣＤ−ＲＯＭ（１７）のアドレスＪｊに記録されているので、この記録があることを示すために、同図Ａに示すように、表示画面の一部にインデックスマークＭｉとして「ジャケット」の文字が表示され、Ｊｊ＝０のときには表示されない。 
　さらに、Ｓｋ≠０のときには、対応する曲のデジタルオーディオデータＤａが、ＣＤ−ＲＯＭ（１７）のアドレスＳｋに記録されているので、この記録があることを示すために、同図Ａに示すように、対応する曲の曲名の例えば前に、インデックスマークＭｉとして「音符」マークが表示され、Ｓｋ＝０のときには表示されない。」 
　という記載、
　
　引用例の上記（ス）の 
「したがって、第４図Ａに示す表示状態のとき、マークＭｉのうちの「音符」マークをマウス（１８）で指定すると、その「音符」マークの付けられている曲名の曲がＣＤ−ＲＯＭ（１７）から再生される。また、このとき、表示装置（３４）には、同図への画像がそのまま表示されている。」 
　という記載から、  
　 
　引用例には、 
「「音符」マークに対する操作入力に基づいて、前記デジタルオーディオデータを再生手段に再生させる
　データ再生方法」 
　が開示されていると認められる。  
　 
　 
　以上の引用例の記載によれば、引用例には下記の発明（以下、「引用例発明」という。）が開示されていると認められる。  
　 
「ＣＤアルバムに収録される曲目の一部の曲のデジタルオーディオデータと、前記デジタルオーディオデータに関連するＣＤアルバムのジャケットを静止画として撮像したときのデジタル画像データとを記憶手段に記憶させ、
　「ジャケット」のマークに対する操作入力に基づいて、デジタルオーディオデータの、ＣＤアルバムのジャケットを静止画として撮像したときのデジタル画像データが表示された状態で表示装置に表示させ、
　「音符」マークに対する操作入力に基づいて、前記デジタルオーディオデータを再生手段に再生させる
　データ再生方法。」  
　  
　  
　  
３．対比  
　  
　本願発明と引用例発明とを対比する。  
　  
（１） 
　引用例発明の 
「ＣＤアルバムに収録される曲目の一部の曲のデジタルオーディオデータ」、 
「ＣＤアルバムのジャケットを静止画として撮像したときのデジタル画像データ」は、それぞれ、 
　 
　本願発明の 
「データ」、 
「イメージデータ」に相当する。 
　 
　 
（２）  
　引用例発明の  
「ＣＤアルバムに収録される曲目の一部の曲のデジタルオーディオデータと、前記デジタルオーディオデータに関連するＣＤアルバムのジャケットを静止画として撮像したときのデジタル画像データとを記憶手段に記憶させ」ることは、  
　  
　本願発明の  
「データと前記データに関連するイメージデータとを記憶手段に記憶させ」ることに相当する。
　 
　 
（３）  
　引用例発明の
「「ジャケット」のマークに対する操作入力に基づいて、デジタルオーディオデータの、ＣＤアルバムのジャケットを静止画として撮像したときのデジタル画像データが表示された状態で表示装置に表示させ」ることと、
　 
　本願発明の
「前記複数のデータにそれぞれ対応する複数の板を前記表示手段に表示させ、
　前記複数の板のうち一の板に対する操作入力に基づいて、前記一の板を前記一の板に対応するデータのイメージデータが表示された一の表示形態で前記表示手段に表示させ、他の板を前記一の表示形態よりも表示領域の小さい他の表示形態で前記表示手段に表示させ」ることとは、
　
「操作入力に基づいて、データのイメージデータが表示された表示形態で表示手段に表示させ」るという点で一致し、
　
　本願発明では、具体的には、
「前記複数のデータにそれぞれ対応する複数の板を前記表示手段に表示させ、
　前記複数の板のうち一の板に対する操作入力に基づいて、前記一の板を前記一の板に対応するデータのイメージデータが表示された一の表示形態で前記表示手段に表示させ、他の板を前記一の表示形態よりも表示領域の小さい他の表示形態で前記表示手段に表示させ」ているのに対し、
　引用例発明では、そのようなことを行っていない点、
　で相違する。　
　
　
（４）  
　引用例発明の  
「「音符」マークに対する操作入力に基づいて、前記デジタルオーディオデータを再生手段に再生させる
　データ再生方法。」と、  
　  
　本願発明の  
「前記一の表示形態で表示された前記一の板に対する操作入力に基づいて、前記一の板に対応するデータを再生手段に再生させる
　データ再生方法。」こととは、  
　  
「操作入力に基づいて、データを再生手段に再生させる
　データ再生方法。」
　という点で一致し、
　
　本願発明では、具体的には、 
「前記一の表示形態で表示された前記一の板に対する操作入力に基づいて、前記一の板に対応するデータ」を再生するのに対し、 
　引用例発明では、そのようなことを行っていない点、 
　で相違する。 
　 
　 
（５）  
　以上のことから、本願発明と引用例発明とは、  
　  
「データと前記データに関連するイメージデータとを記憶手段に記憶させ、
　操作入力に基づいて、データのイメージデータが表示された表示形態で表示手段に表示させ、
　操作入力に基づいて、データを再生手段に再生させる
　データ再生方法。」  
　 
　という点で一致し、  
　
（相違点１）
　本願発明では、具体的には、
「前記複数のデータにそれぞれ対応する複数の板を前記表示手段に表示させ、
　前記複数の板のうち一の板に対する操作入力に基づいて、前記一の板を前記一の板に対応するデータのイメージデータが表示された一の表示形態で前記表示手段に表示させ、他の板を前記一の表示形態よりも表示領域の小さい他の表示形態で前記表示手段に表示させ」ているのに対し、
　引用例発明では、そのようなことを行っていない点、　
　
（相違点２）
　本願発明では、具体的には、 
「前記一の表示形態で表示された前記一の板に対する操作入力に基づいて、前記一の板に対応するデータ」を再生するのに対し、 
　引用例発明では、そのようなことを行っていない点、
　 
　で相違する。 　  
　  
　
　
４．相違点に対する判断  
　 
（１）相違点１について
　 
　ＣＤケースに格納されたＣＤアルバムが背を向けて棚に並んでいて、その中からジャッケットを確認しながら聴きたいＣＤアルバムを探し出すということは
現実世界
　 
　そして、原査定の拒絶の理由に引用文献２として引用された、特開平７−２７１８１４号公報に、 
「【０００９】 
【作用】本発明は、上記構造により、画像情報に対応するバインダアイコンを画面上に形成し、これをマウス等のポインターで指定することで、検索すべき文書を指定するものである。これにより、従来のように、検索用のタイトル値、キーワード等の付加データを登録したり、タイトル構造を設計したりする必要がなくなる。又、このような画面を設けることで、通常の紙ファイルの世界により近い文書管理と検索が可能となる。 
【００１０】 
【実施例】電子ファイリング装置を用いて画像情報の登録業務の負担を軽減し、電子ファイル化を推進させるためには、キーワードの付与を行わなくても検索が可能になる手段を提供する必要がある。そのためには検索の手掛かりとなるものがタイトル値やキーワードといったキーボード入力を必要とする文字列ではなく、画面上のアイコンにあることが望ましい。 
【００１１】通常の紙ファイルの世界では「バインダのまん中あたりに入れた書類である」とか、「付箋紙を貼って目印をつけたページである」というような方法で書類の検索を行う。本発明は、その概念を電子ファイルの世界にも取り入れ、画面上のアイコンの視覚的な位置及び形状から検索を行う手段を提案する。」 
　と記載されているように、 
　電子データを検索キーなどを入力して検索する代わりに、あたかも画面に
現実世界
　 
　したがって、解り易いユーザ・インターフェイスを提供するために、引用例発明に対して、当該周知技術を適用するべく、
　
・棚から取り出された状態（すなわち、ジャケットが見えるように、表面が向いた状態。）のＣＤケースを「一の表示形態」の「板」で表現したり、
　
・棚に並んでいる状態（すなわち、背面を向いた状態。そのため、表面が向いた状態より表示領域は小さくなる。）のＣＤケースそれぞれを「一の表示形態よりも表示領域の小さい他の表示形態」で表現したりすることにより、
　
・全てのＣＤケースが棚に並んでいる状態や、棚から一のＣＤケースが取り出されてＣＤのジャケットを見ている状態（ただし、棚から取り出された一のＣＤケース以外のＣＤケースは、一旦は棚から取り出されたもの棚にしまわれたＣＤケースを含めて、棚に並んでいる状態のままとする。）を表現すること、
　
　すなわち、
「前記複数のデータにそれぞれ対応する複数の板を前記表示手段に表示させ、
　前記複数の板のうち一の板に対する操作入力に基づいて、前記一の板を前記一の板に対応するデータのイメージデータが表示された一の表示形態で前記表示手段に表示させ、他の板を前記一の表示形態よりも表示領域の小さい他の表示形態で前記表示手段に表示させ」ることは、
　当業者が容易に想到し得ることである。 
　 
　 
（２）相違点２について
　 
　
現実世界
　ＣＤアルバムのジャケットが、聴きたい音楽に関連付けられていることを当然の前提としている。
　
　一方、上記「相違点１について」で検討したように、あたかも画面に
現実世界
　 
　しかも、画像に関するオブジェクトに、音に関するオブジェクトを関連づけておき、当該画像に関するオブジェクトに対する操作入力（例：マウスによって当該オブジェクトがダブルクリックがされる操作入力）に基づいて、当該音に関するオブジェクトを再生させることによって、関連する情報を容易に取得することも、情報処理分野における周知技術である。 
　 
　したがって、上記「相違点１」で検討した「・・・、前記複数の板のうち一の板に対する操作入力に基づいて、前記一の板を前記一の板に対応するデータのイメージデータが表示された一の表示形態で前記表示手段に表示させ、・・・」ることによって提供された、「イメージデータ」が対応付けられている「一の板」に対応する情報、すなわち、（オーディオ信号を生成する）データを容易に取得するべく、
　引用例発明に対して、当該周知技術を適用し、 
　「前記一の表示形態で表示された前記一の板に対する操作入力に基づいて、前記一の板に対応するデータ」を再生させることは、当業者が容易に想到し得ることである。 
　 
　 
（３）付記
　 
　なお、本願発明では、「イメージデータ」（実施例では、ＣＤジャケットのイメージデータ）に対応付けられる（オーディオ信号を生成する）「データ」（又は「一の板に対応するデータ」）が、ＣＤジャケットに対応するＣＤアルバムに収録された曲目の全てのデータを前提としているのか否かは特定されていない。 
　しかしながら、本願補正発明の「オーディオ信号を生成するデータ」（又は「板に対応するデータ」）が、ＣＤジャケットに対応するＣＤアルバムに収録された曲目の全てのデータを指している可能性があることを考慮して、念のために検討する。 
　 
　引用例発明の「記憶手段」に記憶される「オーディオ信号を生成するデータ」は、「ＣＤアルバムに収録される曲目の
一部
全て
　 
　しかしながら、引用例の上記（ツ）に、 
「また、デジタルオーディオデータＤａ、デジタル画像データＤｓや、ビデオ信号Ｓｙ及びデジタルオーディオ信号Ｓａは、それぞれ複数のＣＤやレーザーディスクに分割されていてもよく、その場合には、アドレスＳｋ、ＶｋにＣＤやレーザーディスクを識別するコードを含ませればよい。あるいは、データＤａ、Ｄｓは、ハードディスク（１３）に例えばコピーしておき、これを使用することもできる。」 
　と記載されているように、デジタルオーディオデータを、ＣＤ−ＲＯＭより大容量のハードディスクに格納しても良いことが示唆されており、しかも、記憶容量の問題さえなければ、ＣＤアルバムに収録された全ての曲を記憶することよって、任意の曲を聞けるようにしておくことが好ましいことは明らかである。 
　 
　しかも、ＣＤアルバムを再生する再生装置では、（「再生ボタン」を設けることによって）ＣＤアルバムに収録された曲目を最初から最後まで再生することが可能となっていることは世間常識である。 
　 
　したがって、引用例発明の「記憶手段」に、ＣＤアルバムに収録される曲目の
全て
 
　 
　 
５．むすび  
　  
　したがって、本願発明は、引用例発明及び周知技術に基づいて、当業者が容易に発明をすることができたものであり、特許法第２９条第２項の規定により特許を受けることができないから、他の請求項について検討するまでもなく、本願は拒絶されるべきものである。  
　 
　よって結論の通り審決する。